(57)【要約】【課題】  撮像画像を改善する改善能力をより高めることが可能なアドバイスシステム等を提供すること。【解決手段】  アドバイスを受ける第１の端末装置から撮像情報を受信し、撮像画像に対してアドバイスする複数の第２の端末装置へ向け、複数のアドバイス用選択肢を含む選択画像を表示するための選択肢情報を送信し、第２の端末装置から複数のアドバイス用選択肢のうちどの選択肢を選択したかを示す選択情報を受信する通信部１８０と、ユーザーデータ１２２を記憶する記憶部１２０と、撮像情報に基づく撮像データおよび選択情報に基づく選択肢ごとの選択数を示すアドバイスデータをユーザーデータ１２２の一部として記憶する更新部１１６と、撮像データに基づき、選択肢情報を生成し、選択情報に基づき、選択肢ごとの選択数を示すアドバイス画像を表示するためのアドバイス画像情報を生成する情報生成部１１２とを含んでアドバイスシステムを構成する。【選択図】      図３
2005190391.tif 000002
【特許請求の範囲】
【請求項１】
所定の撮像画像に対してアドバイスを受ける第１の端末装置およびアドバイスする複数の第２の端末装置と通信するアドバイスシステムにおいて、
前記第１の端末装置から前記撮像画像を示す撮像情報を受信し、前記第２の端末装置へ向け選択肢情報を送信し、前記第２の端末装置から選択情報を受信する通信手段と、
少なくともユーザーデータを記憶する記憶手段と、
前記撮像情報に基づき、撮像データを前記ユーザーデータの一部として記憶するとともに、前記選択情報に基づき、選択肢ごとの選択数を示すアドバイスデータを前記ユーザーデータの一部として記憶する更新手段と、
前記撮像データに基づき、前記選択肢情報を生成し、前記アドバイスデータに基づき、選択肢ごとの選択数を示すアドバイス画像を表示するためのアドバイス画像情報を生成する情報生成手段と、
を含み、
前記選択肢情報は、前記撮像画像に対する複数のアドバイス用選択肢を含む選択画像を表示するための情報であり、
前記選択情報は、前記複数のアドバイス用選択肢のうちどの選択肢を選択したかを示す情報であり、
前記通信手段は、前記アドバイス画像情報を前記第１の端末装置へ向け送信することを特徴とするアドバイスシステム。
【請求項２】
請求項１において、
前記記憶手段は、複数の広告依頼者の広告依頼者の広告分野と、当該広告依頼者の広告内容とを示す広告データを記憶し、
前記情報生成手段は、前記選択肢ごとの選択数と、前記広告データに基づく前記広告分野とに基づき、広告依頼者を絞り込むことにより、前記アドバイス画像情報の一部として、絞り込んだ広告依頼者の前記広告内容を示す画像を表示するための広告画像情報を生成することを特徴とするアドバイスシステム。
【請求項３】
請求項２において、
前記ユーザーデータは、ユーザーの指定場所またはユーザーの現在地を示すデータを含み、
前記広告データは、広告依頼者の指定場所を示すデータを含み、
前記情報生成手段は、前記ユーザーデータに基づく前記第１の端末装置のユーザーの住所と、前記選択肢ごとの選択数と、前記広告データに基づく広告依頼者の指定場所および前記広告分野とに基づき、広告依頼者を絞り込むことにより、前記広告画像情報を生成することを特徴とするアドバイスシステム。
【請求項４】
請求項１〜３のいずれかにおいて、
前記情報生成手段は、前記選択肢ごとの選択数に基づき、改善すべきであることを示す選択肢の選択数が所定値以上である場合、前記第１の端末装置のユーザーに前記撮像画像の再撮像を促す変更情報を生成し、
前記通信手段は、当該変更情報を前記第１の端末装置へ向け送信することを特徴とするアドバイスシステム。
【請求項５】
請求項１〜４のいずれかにおいて、
前記ユーザーデータは、前記第１の端末装置のユーザーによって撮像された、最新の撮像データと、最新の撮像データ以前の撮像データとを含み、
前記情報生成手段は、当該最新の撮像データ以前の撮像データに基づき、前記アドバイス画像情報の一部として、最新の撮像画像を表示するための情報と、最新の撮像画像より前の撮像画像を表示するための情報とを生成することを特徴とするアドバイスシステム。
【請求項６】
所定の撮像画像に対してアドバイスを受ける第１の端末装置およびアドバイスする複数の第２の端末装置と通信する通信手段を有するコンピュータにより読み取り可能なプログラムであって、
コンピュータを、
前記第１の端末装置から撮像画像を示す撮像情報を前記通信手段に受信させ、前記第２の端末装置へ向け選択肢情報を前記通信手段に送信させ、前記第２の端末装置から選択情報を前記通信手段に受信させる通信制御手段と、
前記撮像情報に基づき、撮像データをユーザーデータの一部として前記コンピュータのメモリに記憶するとともに、前記選択情報に基づき、選択肢ごとの選択数を示すアドバイスデータを前記ユーザーデータの一部として前記メモリに記憶する更新手段と、
前記撮像データに基づき、前記選択肢情報を生成し、前記アドバイスデータに基づき、選択肢ごとの選択数を示すアドバイス画像を表示するためのアドバイス画像情報を生成する情報生成手段として機能させ、
前記選択肢情報は、前記撮像画像に対する複数のアドバイス用選択肢を含む選択画像を表示するための情報であり、
前記選択情報は、前記複数のアドバイス用選択肢のうちどの選択肢を選択したかを示す情報であり、
前記通信制御手段は、前記通信手段に前記アドバイス画像情報を前記第１の端末装置へ向け送信させることを特徴とするプログラム。
【請求項７】
コンピュータにより読み取り可能なプログラムを記憶した情報記憶媒体であって、
請求項６に記載のプログラムを記憶したことを特徴とする情報記憶媒体。
【請求項８】
アドバイスを受ける第１の端末装置から撮像画像を示す撮像情報を受信し、
当該撮像情報に基づき、前記撮像画像に対してアドバイスする複数の第２の端末装置へ向け、前記撮像画像に対する複数のアドバイス用選択肢を含む選択画像を表示するための選択肢情報を送信し、
前記第２の端末装置から前記複数のアドバイス用選択肢のうちどの選択肢を選択したかを示す選択情報を受信し、
当該選択情報に基づき、選択肢ごとの選択数を示すアドバイス画像を表示するためのアドバイス画像情報を生成し、
当該アドバイス画像情報を前記第１の端末装置へ向け送信することを特徴とするアドバイス方法。
【請求項９】
請求項８において、
前記選択肢ごとの選択数と、複数の広告依頼者の広告依頼者の広告分野と当該広告依頼者の広告内容を示すデータとに基づき、広告依頼者を絞り込むことにより、前記アドバイス画像情報の一部として、絞り込んだ広告依頼者の前記広告内容を示す画像を表示するための広告画像情報を生成することを特徴とするアドバイス方法。
【請求項１０】
請求項９において、
前記第１の端末装置のユーザーの指定場所またはユーザーの現在地を示すデータと、前記選択肢ごとの選択数と、広告依頼者の指定場所を示すデータと、前記広告分野と前記広告内容を示すデータとに基づき、広告依頼者を絞り込むことにより、前記広告画像情報を生成することを特徴とするアドバイス方法。
【請求項１１】
請求項８〜１０のいずれかにおいて、
前記選択肢ごとの選択数に基づき、改善すべきであることを示す選択肢の選択数が所定値以上である場合、前記第１の端末装置のユーザーに前記撮像画像の再撮像を促す変更情報を生成し、
当該変更情報を前記第１の端末装置へ向け送信することを特徴とするアドバイス方法。
【請求項１２】
請求項８〜１１のいずれかにおいて、
前記第１の端末装置のユーザーによって撮像された、最新の撮像データと、最新の撮像データ以前の撮像データとに基づき、前記アドバイス画像情報の一部として、最新の撮像画像を表示するための情報と、最新の撮像画像より前の撮像画像を表示するための情報とを生成することを特徴とするアドバイス方法。
【発明の詳細な説明】
【技術分野】
【０００１】
本発明は、ユーザーによる撮像情報に対してネットワークを介して他のユーザーがアドバイスするアドバイスシステム、プログラム、情報記憶媒体およびアドバイス方法に関する。
【背景技術】
【０００２】
ユーザーによる撮像情報に対してネットワークを介して他のユーザーがアドバイスすることが提案されている。
【０００３】
例えば、特許文献１では、ユーザーによる撮像情報に対して写真の専門家がアドバイスする写真アドバイスシステムが提案されている。
【特許文献１】特開２００２−１０７７９７号公報
【発明の開示】
【発明が解決しようとする課題】
【０００４】
特許文献１に記載されているように、従来のアドバイスシステムは、１人のユーザーがアドバイスするものであり、アドバイスを受けるユーザーにとっては、アドバイスしたユーザーのアドバイスが適切なものかどうかを判断しにくかった。
【０００５】
また、インターネット等において、１つの撮像された画像をＷｅｂページに掲載して複数のユーザーがアドバイスすることも考えられるが、情報の流れがアドバイスするユーザーからアドバイスを受けるユーザーへの一方通行となりがちであった。
【０００６】
以上のように、従来のアドバイスシステムでは、撮像画像を改善する改善能力が不十分であった。
【０００７】
本発明は、上記課題に鑑みなされたものであり、その目的は、撮像画像を改善する改善能力をより高めることが可能なアドバイスシステム、プログラム、情報記憶媒体およびアドバイス方法を提供することにある。
【課題を解決するための手段】
【０００８】
上記課題を解決するため、本発明に係るアドバイスシステムは、所定の撮像画像に対してアドバイスを受ける第１の端末装置およびアドバイスする複数の第２の端末装置と通信するアドバイスシステムにおいて、
前記第１の端末装置から前記撮像画像を示す撮像情報を受信し、前記第２の端末装置へ向け選択肢情報を送信し、前記第２の端末装置から選択情報を受信する通信手段と、
少なくともユーザーデータを記憶する記憶手段と、
前記撮像情報に基づき、撮像データを前記ユーザーデータの一部として記憶するとともに、前記選択情報に基づき、選択肢ごとの選択数を示すアドバイスデータを前記ユーザーデータの一部として記憶する更新手段と、
前記撮像データに基づき、前記選択肢情報を生成し、前記アドバイスデータに基づき、選択肢ごとの選択数を示すアドバイス画像を表示するためのアドバイス画像情報を生成する情報生成手段と、
を含み、
前記選択肢情報は、前記撮像画像に対する複数のアドバイス用選択肢を含む選択画像を表示するための情報であり、
前記選択情報は、前記複数のアドバイス用選択肢のうちどの選択肢を選択したかを示す情報であり、
前記通信手段は、前記アドバイス画像情報を前記第１の端末装置へ向け送信することを特徴とする。
【０００９】
また、本発明に係るプログラムは、所定の撮像画像に対してアドバイスを受ける第１の端末装置およびアドバイスする複数の第２の端末装置と通信する通信手段を有するコンピュータにより読み取り可能なプログラムであって、
コンピュータを、
前記第１の端末装置から撮像画像を示す撮像情報を前記通信手段に受信させ、前記第２の端末装置へ向け選択肢情報を前記通信手段に送信させ、前記第２の端末装置から選択情報を前記通信手段に受信させる通信制御手段と、
前記撮像情報に基づき、撮像データをユーザーデータの一部として前記コンピュータのメモリに記憶するとともに、前記選択情報に基づき、選択肢ごとの選択数を示すアドバイスデータを前記ユーザーデータの一部として前記メモリに記憶する更新手段と、
前記撮像データに基づき、前記選択肢情報を生成し、前記アドバイスデータに基づき、選択肢ごとの選択数を示すアドバイス画像を表示するためのアドバイス画像情報を生成する情報生成手段として機能させ、
前記選択肢情報は、前記撮像画像に対する複数のアドバイス用選択肢を含む選択画像を表示するための情報であり、
前記選択情報は、前記複数のアドバイス用選択肢のうちどの選択肢を選択したかを示す情報であり、
前記通信制御手段は、前記通信手段に前記アドバイス画像情報を前記第１の端末装置へ向け送信させることを特徴とする。
【００１０】
また、本発明に係る情報記憶媒体は、コンピュータにより読み取り可能なプログラムを記憶した情報記憶媒体であって、上記プログラムを記憶したことを特徴とする。
【００１１】
また、本発明に係るアドバイス方法は、アドバイスを受ける第１の端末装置から撮像画像を示す撮像情報を受信し、
当該撮像情報に基づき、前記撮像画像に対してアドバイスする複数の第２の端末装置へ向け、前記撮像画像に対する複数のアドバイス用選択肢を含む選択画像を表示するための選択肢情報を送信し、
前記第２の端末装置から前記複数のアドバイス用選択肢のうちどの選択肢を選択したかを示す選択情報を受信し、
当該選択情報に基づき、選択肢ごとの選択数を示すアドバイス画像を表示するためのアドバイス画像情報を生成し、
当該アドバイス画像情報を前記第１の端末装置へ向け送信することを特徴とする。
【００１２】
本発明によれば、アドバイスを受けるユーザーは、アドバイス画像を確認することにより、複数の他のユーザーがどのような選択を行ったか確認することができる。これにより、アドバイスを受けるユーザーは、１人の他のユーザーからアドバイスを受ける場合と比べ、より客観的な判断結果を得ることができるため、撮像画像を改善する改善能力をより高めることができる。
【００１３】
また、前記アドバイスシステム、前記プログラムおよび前記情報記憶媒体において、前記記憶手段は、複数の広告依頼者の広告依頼者の広告分野と、当該広告依頼者の広告内容とを示す広告データを記憶し、
前記情報生成手段は、前記選択肢ごとの選択数と、前記広告データに基づく前記広告分野とに基づき、広告依頼者を絞り込むことにより、前記アドバイス画像情報の一部として、絞り込んだ広告依頼者の前記広告内容を示す画像を表示するための広告画像情報を生成してもよい。
【００１４】
また、前記アドバイス方法は、前記選択肢ごとの選択数と、複数の広告依頼者の広告依頼者の広告分野と当該広告依頼者の広告内容を示すデータとに基づき、広告依頼者を絞り込むことにより、前記アドバイス画像情報の一部として、絞り込んだ広告依頼者の前記広告内容を示す画像を表示するための広告画像情報を生成してもよい。
【００１５】
また、前記アドバイスシステム、前記プログラムおよび前記情報記憶媒体において、前記ユーザーデータは、ユーザーの指定場所またはユーザーの現在地を示すデータを含み、
前記広告データは、広告依頼者の指定場所を示すデータを含み、
前記情報生成手段は、前記ユーザーデータに基づく前記第１の端末装置のユーザーの住所と、前記選択肢ごとの選択数と、前記広告データに基づく広告依頼者の指定場所および前記広告分野とに基づき、広告依頼者を絞り込むことにより、前記広告画像情報を生成してもよい。
【００１６】
また、前記アドバイス方法は、前記第１の端末装置のユーザーの指定場所またはユーザーの現在地を示すデータと、前記選択肢ごとの選択数と、広告依頼者の指定場所を示すデータと、前記広告分野と前記広告内容を示すデータとに基づき、広告依頼者を絞り込むことにより、前記広告画像情報を生成してもよい。
【００１７】
これによれば、アドバイスを受けるユーザーは、他のユーザーの選択に応じた広告内容を確認することができるため、例えば、どのような化粧品を購入すべきか、どこの美容院に行くべきかといったことを容易に把握することができる。これにより、アドバイスを受けるユーザーは、撮像画像を改善する改善能力をより高めることができる。
【００１８】
なお、前記指定場所としては、具体的には、例えば、住所、居所、営業所等が該当する。
【００１９】
また、前記アドバイスシステム、前記プログラムおよび前記情報記憶媒体において、前記情報生成手段は、前記選択肢ごとの選択数に基づき、改善すべきであることを示す選択肢の選択数が所定値以上である場合、前記第１の端末装置のユーザーに前記撮像画像の再撮像を促す変更情報を生成し、
前記通信手段は、当該変更情報を前記第１の端末装置へ向け送信してもよい。
【００２０】
また、前記アドバイス方法において、前記選択肢ごとの選択数に基づき、改善すべきであることを示す選択肢の選択数が所定値以上である場合、前記第１の端末装置のユーザーに前記撮像画像の再撮像を促す変更情報を生成し、
当該変更情報を前記第１の端末装置へ向け送信してもよい。
【００２１】
これによれば、アドバイスを受けるユーザーは、日常的に再撮像することを意識していない場合であっても再撮像することができるため、撮像画像を改善する改善能力をより高めることができる。
【００２２】
また、前記アドバイスシステム、前記プログラムおよび前記情報記憶媒体において、前記ユーザーデータは、前記第１の端末装置のユーザーによって撮像された、最新の撮像データと、最新の撮像データ以前の撮像データとを含み、
前記情報生成手段は、当該最新の撮像データ以前の撮像データに基づき、前記アドバイス画像情報の一部として、最新の撮像画像を表示するための情報と、最新の撮像画像より前の撮像画像を表示するための情報とを生成してもよい。
【００２３】
また、前記アドバイス方法において、前記第１の端末装置のユーザーによって撮像された、最新の撮像データと、最新の撮像データ以前の撮像データとに基づき、前記アドバイス画像情報の一部として、最新の撮像画像を表示するための情報と、最新の撮像画像より前の撮像画像を表示するための情報とを生成してもよい。
【００２４】
これによれば、アドバイスを受けるユーザーは、最新の撮像画像と最新の撮像画像より前の撮像画像（例えば、初回の撮像画像、１つ前の撮像画像、１つ前の撮像画像と２つ前の撮像画像等）を確認することができるため、撮像画像を改善する改善能力をより高めることができる。
【発明を実施するための最良の形態】
【００２５】
以下、本発明を、撮像画像を改善する改善能力をより高めるアドバイスシステムに適用した場合を例に採り、図面を参照しつつ説明する。なお、以下に示す実施形態は、特許請求の範囲に記載された発明の内容を何ら限定するものではない。また、以下の実施形態に示す構成のすべてが、特許請求の範囲に記載された発明の解決手段として必須であるとは限らない。
【００２６】
（システム全体についての説明）
図１は、本実施形態の一例に係るシステム全体の概略図である。
【００２７】
本システムは、サーバー１００と、サーバー１００とネットワーク３００を介して通信する複数の携帯電話２００と、広告依頼者ＰＣ５００とを含んで構成されている。なお、サーバー１００は、アドバイスシステムとして機能する。また、本実施例では、携帯電話２００−１は、アドバイスを受けるユーザーが使用する第１の端末装置として機能し、携帯電話２００−２〜２００−ｎは、アドバイスを行うユーザーが使用する第２の端末装置として機能する。また、実際には、広告依頼者ＰＣ５００も複数存在している。
【００２８】
本実施形態では、第１の端末装置のユーザーの撮像画像を、複数の第２の端末装置のユーザーが評価し、アドバイスすることができるようにサーバー１００を構成している。
【００２９】
次に、携帯電話２００とサーバー１００の機能ブロックについて説明する。
【００３０】
図２は、本実施形態の一例に係る携帯電話２００の機能ブロック図である。
【００３１】
携帯電話２００は、ユーザーの操作情報を入力する操作部２５０と、画像の生成等を行う処理部２１０と、種々のデータを記憶する記憶部２２０と、画像を表示する表示部２３０と、音声を出力する音声出力部２４０と、ユーザー等の撮像対象を撮像して撮像情報を生成する撮像部２６０とを含んで構成されている。
【００３２】
また、携帯電話２００は、サーバー１００からプログラム等を受信し、撮像情報等をサーバー１００へ向け送信する通信部２８０を含んで構成されている。
【００３３】
また、処理部２１０は、撮像部２６０に撮像させる制御情報等を生成する情報生成部２１２と、操作部２５０による操作内容等の判定を行う判定部２１４と、記憶部２２０のデータを更新する更新部２１６とを含んで構成されている。
【００３４】
また、記憶部２２０は、種々の画像表示等を行うためのプログラム２２２、撮像部２６０によって生成される撮像データ２２４等を記憶している。
【００３５】
なお、携帯電話２００としては、一般的な携帯電話を採用してもよい。
【００３６】
次に、サーバー１００の機能ブロックについて説明する。
【００３７】
図３は、本実施形態の一例に係るサーバー１００の機能ブロック図である。
【００３８】
サーバー１００は、アドバイス画像情報の生成等を行う処理部１１０と、種々のデータを記憶する記憶部１２０とを含んで構成されている。
【００３９】
また、サーバー１００は、携帯電話２００から撮像情報等を受信し、携帯電話２００へ向けアドバイス画像情報等を送信するサーバー側通信手段として機能する通信部１８０を含んで構成されている。
【００４０】
また、処理部１１０は、アドバイス画像情報等を生成する情報生成部１１２と、携帯電話２００から送信された情報の内容等を判定する判定部１１４と、記憶部１２０のデータを更新する更新部１１６とを含んで構成されている。
【００４１】
また、記憶部１２０は、ユーザーデータ１２２、広告データ１２４等を記憶している。ここで、これらのデータについてより詳細に説明する。
【００４２】
図４は、本実施形態の一例に係るユーザーデータ１２２のデータ構造を示す模式図である。
【００４３】
ユーザーデータ１２２は、携帯電話２００のユーザーに関するデータである。ユーザーデータ１２２は、ユーザーの住所等を示す属性データ１２２−１と、アドバイス用の選択肢ごとの選択数を示すアドバイスデータ１２２−２と、評価を示す評価データ１２２−３と、撮像データ１２２−４とを含んで構成されている。
【００４４】
属性データ１２２−１の項目としては、例えば、「ＩＤ」、「ユーザー名」、「性別」、「メールアドレス」、ユーザーの指定場所を示す「住所」等が該当する。
【００４５】
また、アドバイスデータ１２２−２の項目としては、例えば、「表情」、「写り方」、「髪型」、「その他」等が該当する。また、アドバイスデータ１２２−２の各項目は、「Ｈ１」等の選択肢に対応したカテゴリーごとの選択数（例えば、「Ｈ１」の場合は「７３」）を示す。
【００４６】
また、評価データ１２２−３の項目としては、例えば、「他者からの評価」、「他者への評価」等が該当する。
【００４７】
撮像データ１２２−４の項目としては、例えば、「初回撮像データ」、「最新撮像データ」等が該当する。もちろん、撮像データ１２２−４として、初回や最新以外の撮像データを採用してもよい。
【００４８】
次に、広告データ１２４のデータ構造について説明する。
【００４９】
図５は、本実施形態の一例に係る広告データ１２４のデータ構造を示す模式図である。
【００５０】
広告データ１２４は、広告依頼者ＰＣ５００からの入力情報に基づくデータである。広告データ１２４の項目としては、例えば、評価データ１２２−３のカテゴリーに対応する広告依頼者のカテゴリー（広告分野）を示す「カテゴリー」、広告依頼者の商品名等を示す「登録名」、広告依頼者の指定場所を示す「住所」、広告依頼者のホームページのリンクを示す「リンク」等が該当する。なお、「登録名」、「リンク」等は広告内容を示すデータの一種である。
【００５１】
なお、このような各部をコンピュータに実装するためのハードウェアとしては、処理部１１０としては、例えば、ＣＰＵ、画像処理回路等、記憶部１２０としては、例えば、ＲＡＭ、ＨＤＤ等、通信部１８０としては、例えば、ＬＡＮボードやルーター等を採用してもよい。
【００５２】
また、サーバー１００は、これらの各部としてコンピュータを機能させるためのプログラムを情報記憶媒体１９０から読み取ってその機能を実装してもよい。このようなプログラムとしては、例えば、コンピュータを、アドバイスを受ける携帯電話２００−１から撮像画像を示す撮像情報を通信部１８０に受信させ、撮像画像に対してアドバイスする複数の携帯電話２００−２〜２００−ｎへ向け、撮像画像に対する複数のアドバイス用選択肢を含む選択画像を表示するための選択肢情報を通信部１８０に送信させ、携帯電話２００−２〜２００−ｎから複数のアドバイス用選択肢のうちどの選択肢を選択したかを示す選択情報を通信部１８０に受信させる通信制御手段と、撮像情報に基づき、撮像データをユーザーデータ１２２の一部としてコンピュータのメモリに記憶するとともに、選択情報に基づき、選択肢ごとの選択数を示すアドバイスデータ１２２−２をユーザーデータ１２２の一部として上記メモリに記憶する更新手段と、撮像データに基づき、選択肢情報を生成し、選択情報に基づき、選択肢ごとの選択数を示すアドバイス画像を表示するためのアドバイス画像情報を生成する情報生成手段として機能させるプログラム等を採用してもよい。
【００５３】
また、サーバー１００は、情報記憶媒体１９０からではなく、例えば、ネットワーク３００を介して所定のホスト端末等からプログラムを読み取って上述した種々の機能をコンピュータに実装することも可能である。
【００５４】
なお、情報記憶媒体１９０としては、例えば、ＣＤ−ＲＯＭ、ＤＶＤ−ＲＯＭ、ＩＣカード、ＲＯＭ、ＲＡＭ、メモリカード、ハードディスク等のレーザーや磁気等を用いた記憶媒体を適用できる。また、情報記憶媒体１９０からの情報読み取り方式は、接触式でも非接触式でもよい。
【００５５】
（画像遷移についての説明）
次に、サーバー１００を用いたアドバイスシステムにおける画像遷移について説明する。
【００５６】
まず、アドバイスシステムのサービスをユーザーに提供する前に、更新部１１６は、広告依頼者ＰＣ５００からの入力情報に基づき、広告データ１２４を更新する。これにより、広告依頼者ごとに「カテゴリー」、「登録名」、「住所」、「リンク」等が広告データ１２４に記憶される。
【００５７】
そして、アドバイスシステムのサービス提供の開始後、更新部１１６は、携帯電話２００からの入力情報に基づき、ユーザーデータ１２２を更新する。これにより、例えば、ユーザーデータ１２２に「ＩＤ」、「ユーザー名」、「性別」、「メールアドレス」、「住所」等が記憶される。
【００５８】
また、更新部１１６は、判定部１１４によって携帯電話２００−１から初めて撮像情報を受信したと判定された場合、当該撮像情報に基づき、ユーザーデータ１２２の撮像データ１２２−４の「初回撮像データ」を更新する。また、更新部１１６は、携帯電話２００−１から新たな撮像情報を受信する度に、当該撮像情報に基づき、ユーザーデータ１２２の撮像データ１２２−４の「最新撮像データ」を更新する。
【００５９】
そして、情報生成部１１２は、ユーザーデータ１２２に基づき、メイン画像を表示するための画像情報を生成し、通信部１８０は、当該画像情報を携帯電話２００へ向け送信する。
【００６０】
表示部２３０は、当該画像情報に基づき、メイン画像を表示する。
【００６１】
図６は、本実施形態の一例に係るメイン画像４００を示す模式図である。
【００６２】
メイン画像４００は、例えば、ユーザーの顔画像等を示す最新撮像画像４０１、初回の撮像画像を表示するためのクリック可能画像４０２、再撮像するためのクリック可能画像４０３、他のユーザーによる評価を数値で示す評価画像４０４、ユーザーのファンの人数とファンのリストを表示するためのクリック可能画像４０５、アドバイス画像を表示するためのクリック可能画像４０６、他のユーザーを評価するためのクリック可能画像４０７、ユーザーのファンに登録したユーザーのうちの３人の撮像画像等を表示するためのクリック可能画像４０８等を含む。
【００６３】
例えば、ユーザーが、操作部２５０を用いてクリック可能画像４０２をクリックすることにより、携帯電話２００の画面に初回撮像画像が表示される。
【００６４】
図７は、本実施形態の一例に係る初参加画像４１０を示す模式図である。
【００６５】
初参加画像４１０は、ユーザーが最初に撮像した自分の顔画像を含む初回撮像画像４１１を含む。例えば、図７に示す初回撮像画像４１１では、ユーザーが長髪で眼鏡をかけた状態の撮像画像となっている。これに対し、図６に示す最新撮像画像４０１では、同じユーザーが短髪で眼鏡を外した状態の撮像画像となっている。このように、ユーザーは、初回撮像画像４１１と、最新撮像画像４０１を見比べることができる。
【００６６】
また、例えば、ユーザーが、メイン画像４００が表示された状態で、操作部２５０を用いてクリック可能画像４０３をクリックすることにより、情報生成部１１２は、ユーザーに再撮像を促す変更情報を生成し、携帯電話２００は、当該変更情報に基づき、携帯電話２００の画面に変更指示画像を表示する。
【００６７】
図８は、本実施形態の一例に係る変更指示画像４２０を示す模式図である。
【００６８】
変更指示画像４２０は、ユーザーに再撮像を促す画像であり、撮像データを変更するためのクリック可能画像４２１を含む。ユーザーが、操作部２５０を用いてクリック可能画像４２１をクリックすることにより、携帯電話２００のプログラム２２２に含まれるメール送信プログラムが起動する。そして、ユーザーが携帯電話２００を用いて撮像データを添付してメールを送信することにより、当該撮像データを含むメールがサーバー１００へ向け送信される。
【００６９】
更新部１１６は、当該撮像データを撮像データ１２２−４の「最新撮像データ」として記憶部１２０に記憶する。これにより、メイン画像４００の最新撮像画像４０１も更新される。
【００７０】
また、例えば、ユーザーが、メイン画像４００が表示された状態で、操作部２５０を用いてクリック可能画像４０６をクリックすることにより、携帯電話２００の画面にアドバイス画像が表示される。
【００７１】
より具体的には、操作部２５０からの操作情報に基づき、判定部２１４によってクリック可能画像４０６がクリックされたと判定された場合、情報生成部２１２は、アドバイス画像情報の配信要求情報を生成し、通信部２８０は、当該配信要求情報をサーバー１００へ向け送信する。
【００７２】
通信部１８０は、当該配信要求情報を受信し、判定部１１４によってアドバイス画像情報の配信要求情報であると判定された場合、情報生成部１１２は、アドバイスデータ１２２−２に基づき、アドバイス画像情報を生成する。
【００７３】
通信部１８０は、当該アドバイス画像情報を携帯電話２００へ向け送信する。
【００７４】
携帯電話２００は、当該アドバイス画像情報に基づき、アドバイス画像を表示する。
【００７５】
図９は、本実施形態の一例に係るアドバイス画像４３０を示す模式図である。
【００７６】
アドバイス画像４３０は、採点者数を示す画像４３１、表情に関する選択肢ごとの選択数を示す画像４３２、写り方に関する選択肢ごとの選択数を示す画像４３３、髪型に関する選択肢ごとの選択数を示す画像４３４、その他に関する選択肢ごとの選択数を示す画像４３５等を含む。
【００７７】
例えば、髪型に関する選択肢ごとの選択数を示す画像４３４では、「いい感じ」を選択したユーザーが３０人で、「短い方がいい」を選択したユーザーが５２人で、「長い方がいい」を選択したユーザーが１３人であることが示されている。
【００７８】
この場合、ユーザーは、髪型は「短い方がいい」と判断することができる。
【００７９】
また、例えば、その他に関する選択肢ごとの選択数を示す画像４３５では、「ちょっと痩せた方がいい」を選択したユーザーが０人で、「ちょっと痩せすぎ」を選択したユーザーが５人で、「眼鏡をかけた方がいい」を選択したユーザーが１５人で、「眼鏡を外した方がいい」を選択したユーザーが４６人であることが示されている。
【００８０】
この場合、ユーザーは「眼鏡を外した方がいい」と判断することができる。
【００８１】
また、例えば、ユーザーが、メイン画像４００が表示された状態で、操作部２５０を用いてクリック可能画像４０７をクリックすることにより、携帯電話２００の画面に他のユーザーを評価するための入力画像が表示される。
【００８２】
図１０は、本実施形態の一例に係る入力画像４４０を示す模式図である。
【００８３】
入力画像４４０は、他のユーザーの採点を行うための採点入力画像４４２と、他のユーザーに対してアドバイスを行うためのアドバイス選択画像４４３と、クリック可能画像４４４を含む。
【００８４】
採点入力画像４４２では、例えば、「ひとめぼれ度」、「守ってあげたい度」、「癒し度」、「セクシー度」等が表示され、ユーザーは、各項目の空欄に携帯電話２００の操作部２５０を用いて１〜１０の数値を入力して採点を行う。なお、情報生成部１１２は、これらの項目を性別によって変更してもよい。例えば、男性であれば、「男らしい度」等を用いてもよい。
【００８５】
また、アドバイス選択画像では、例えば、「表情」、「写り方」、「髪型」、「その他」等の項目が表示され、項目ごとに「いい感じ」等の選択肢が表示される。
【００８６】
ユーザーは、携帯電話２００の操作部２５０を用いて各項目の選択肢を選択する。
【００８７】
携帯電話２００の情報生成部２１２は、ユーザーの入力した数値や選択した選択肢を示す選択情報を生成し、通信部２８０は、当該選択情報をサーバー１００へ向け送信する。
【００８８】
通信部１８０は、当該選択情報を受信する。更新部１１６は、当該選択情報に基づき、「ジョージ」の評価データ１２２−３の「他者への評価」を更新するとともに、評価対象となった「さゆさゆ」のアドバイスデータ１２２−２と、評価データ１２２−３の「他者からの評価」を更新する。
【００８９】
以上の手順により、情報生成部１１２は、最新のユーザーデータ１２２に基づいて画像情報を生成することができるため、携帯電話２００の表示部２３０に最新の評価画像４０４と最新のアドバイス画像４３０を表示させることができる。
【００９０】
また、以上の手順により、ユーザーは、他のユーザーからの評価やアドバイスを確認するだけでなく、他のユーザーに対する評価やアドバイスを行うこともできる。なお、評価対象となるユーザーは異性であり、情報生成部１１２によってユーザーデータ１２２からランダムに選択される。
【００９１】
以上のように、本実施形態によれば、アドバイスを受けるユーザーは、アドバイス画像４３０を確認することにより、複数の他のユーザーがどのような選択を行ったか確認することができる。これにより、アドバイスを受けるユーザーは、１人の他のユーザーからアドバイスを受ける場合と比べ、より客観的な判断結果を得ることができる。
【００９２】
また、本実施形態によれば、アドバイスを受けるユーザーは、最新撮像画像４０１と最新の撮像画像より前の初回撮像画像４１１を確認することができる。なお、初回撮像画像４１１以外にも、例えば、最新より１つ前の撮像画像、１つ前の撮像画像と２つ前の撮像画像等を採用してもよい。
【００９３】
以上の作用効果により、サーバー１００は、アドバイスを受けるユーザーの撮像画像を改善する改善能力をより高めることができる。
【００９４】
（変形例）
以上、本発明を適用した好適な実施例について説明してきたが、本発明の適用は上述した実施例に限定されず、種々の変形が可能である。
【００９５】
また、例えば、ユーザーが、操作部２５０を用いて所定のクリック可能画像をクリックすることにより、携帯電話２００の画面に、ユーザーに適した広告画像を表示してもよい。
【００９６】
図４および図５に示すように、ユーザーデータ１２２の属性データ１２２−１の「住所」と、広告データ１２４の「住所」とは対応しており、ユーザーデータ１２２のアドバイスデータ１２２−２の「表情」等の各選択肢と、広告データ１２４の「カテゴリー」とは対応している。
【００９７】
情報生成部１１２は、携帯電話２００−１のユーザーの属性データ１２２−１の「住所」と、複数の広告依頼者の「住所」を示す広告データ１２４に基づき、広告依頼者を絞り込み、アドバイスデータ１２２−２の選択肢ごとの選択数と、広告データ１２４における広告依頼者の広告分野を示す「カテゴリー」に基づき、広告依頼者をさらに絞り込む。
【００９８】
例えば、図４に示す例では、「ジョージ」の住所は「東京都大田区〜」であり、「髪型」では「Ｋ２（短い方がいい）」が最も多くなっている。
【００９９】
図５に示す広告データ１２４において、「住所」が「東京都大田区〜」であり、「カテゴリー」が「Ｋ２」である広告依頼者は「Ｇ美容室」である。
【０１００】
情報生成部１１２は、アドバイス画像情報の一部として、絞り込まれた広告依頼者の広告内容を示す広告画像を表示するための広告画像情報を生成し、通信部１８０は、当該広告画像情報を携帯電話２００−１へ向け送信する。
【０１０１】
図１１は、本実施形態の一例に係る広告画像４５０を示す模式図である。
【０１０２】
図１１に示す広告画像４５０では、「Ｇ美容室」という店名と、「あなたの髪をより美しく」というキャッチフレーズ、「Ｇ美容室」の連絡先等が表示される。また、情報生成部１１２は、広告データ１２４の「リンク」に基づいて広告画像４５０に広告依頼者のホームページへのリンクが含まれるように広告画像情報を生成してもよい。
【０１０３】
このように、アドバイスを受けるユーザーは、他のユーザーの選択に応じた広告内容を確認することができるため、例えば、どのような化粧品を購入すべきか、どこの美容院に行くべきかといったことを容易に把握することができる。これにより、アドバイスを受けるユーザーは、撮像画像を改善する改善能力をより高めることができる。
【０１０４】
また、判定部１１４を、ユーザーデータ１２２に基づき、採点結果のポイントが所定値未満かどうか、アドバイスデータ１２２−２のうち改善すべき選択肢の選択数が所定値（例えば、全人数の半分の値等）以上かどうかを判定するように構成し、情報生成部１１２を、判定部１１４による当該判定結果が真である場合にはユーザーに再撮像を促す変更情報を生成するように構成し、通信部１８０を、当該変更情報を携帯電話２００−１へ向け送信するように構成してもよい。
【０１０５】
これによれば、アドバイスを受けるユーザーは、変更指示画像４２０が携帯電話２００の画面に自動的に表示されることにより、日常的に再撮像することを意識していない場合であっても再撮像することができるため、撮像画像を改善する改善能力をより高めることができる。
【０１０６】
また、情報生成部１１２は、アドバイスを受けるユーザーが他のユーザーに質問し、他のユーザーから回答を得るための画像情報を生成してもよい。
【０１０７】
さらに、情報生成部１１２は、図６に示す採点結果のポイントに基づいてランキング表示するための画像情報を生成してもよい。
【０１０８】
また、上述した実施例では、携帯電話２００−１は第１の端末装置として機能し、携帯電話２００−２〜２００−ｎは第２の端末装置として機能したが、各携帯電話２００が第１および第２の端末装置として機能してもよい。すなわち、アドバイスしたり、アドバイスを受けたりする携帯電話２００は固定でなくてもよく、各携帯電話２００がアドバイスを行う役割とアドバイスを受ける役割の両方の役割を果たしてもよい。
【０１０９】
また、上述した実施例では、指定場所として、住所を用いたが、住所以外にも例えば、居所、営業所等を用いてもよい。さらに、ユーザーの現在地に応じて広告を提供する広告依頼者を絞り込んでもよい。この場合、例えば、携帯電話２００から送信される情報に基づいて携帯電話２００の現在位置を判定するように判定部１１４を構成し、当該現在位置をユーザーの現在地を示すデータとしてユーザーデータ１２２の一部として記憶するように更新部１１６を構成すればよい。
【０１１０】
また、上述した実施例では、端末装置として携帯電話２００を採用したが、端末装置の変形例として、ＰＣ、ＰＤＡ、通信機能付きゲーム装置等を採用してもよい。
【０１１１】
さらに、上述したサーバー１００の機能を複数台の装置に分散して上述した機能をコンピュータに実装してもよい。
【図面の簡単な説明】
【０１１２】
【図１】本実施形態の一例に係るシステム全体の概略図である。
【図２】本実施形態の一例に係る携帯電話の機能ブロック図である。
【図３】本実施形態の一例に係るサーバーの機能ブロック図である。
【図４】本実施形態の一例に係るユーザーデータのデータ構造を示す模式図である。
【図５】本実施形態の一例に係る広告データのデータ構造を示す模式図である。
【図６】本実施形態の一例に係るメイン画像を示す模式図である。
【図７】本実施形態の一例に係る初参加画像を示す模式図である。
【図８】本実施形態の一例に係る変更指示画像を示す模式図である。
【図９】本実施形態の一例に係るアドバイス画像を示す模式図である。
【図１０】本実施形態の一例に係る入力画像を示す模式図である。
【図１１】本実施形態の一例に係る広告画像を示す模式図である。
【符号の説明】
【０１１３】
１００  サーバー（アドバイスシステム）
１１２、２１２  情報生成部
１１４、２１４  判定部
１１６、２１６  更新部
１２０  記憶部
１２２  ユーザーデータ
１２４  広告データ
１８０、２８０  通信部
１９０  情報記憶媒体
２００  携帯電話（端末装置）
２３０  表示部
２６０  撮像部
【図１】
2005190391.tif 000003
【図２】
2005190391.tif 000004
【図３】
2005190391.tif 000005
【図４】
2005190391.tif 000006
【図５】
2005190391.tif 000007
【図６】
2005190391.tif 000008
【図７】
2005190391.tif 000009
【図８】
2005190391.tif 000010
【図９】
2005190391.tif 000011
【図１０】
2005190391.tif 000012
【図１１】
2005190391.tif 000013